(57)【要約】  無線通信システムにおいて、端末（ＵＥ）が肯定応答（ＡＣＫ）／否定応答（ＮＡＣＫ）送信を必要とする場合に、コードリソースをＡＣＫ／ＮＡＣＫチャネルインデックスに割り当てる方法及び装置を提供する。このような方法及び装置は、使用可能な直交カバーウォルシュコードの中で所定数の直交カバーウォルシュコードを選択し、相互干渉程度が小さい順に配列された前記選択された直交カバーウォルシュコードで少なくとも１つのサブセットを構成し、上記構成された少なくとも１つのサブセットからサブフレームの第１及び第２のスロットで使用するサブセットを選択し、各スロットで選択されたサブセットの直交カバーウォルシュコード及びＺａｄｏｆｆ−Ｃｈｕ（ＺＣ）シーケンス循環シフト値を上記ＡＣＫ／ＮＡＣＫチャネルインデックスに割り当てる。
2010536230.tif 000002
【特許請求の範囲】
【請求項１】
無線通信システムにおける端末（ＵＥ）が肯定応答（ＡＣＫ）／否定応答（ＮＡＣＫ）送信を必要とする場合に、コードリソースをＡＣＫ／ＮＡＣＫチャネルインデックスに割り当てる方法であって、
使用可能な直交カバーウォルシュコードの中で所定数の直交カバーウォルシュコードを選択するステップと、
相互干渉程度が小さい順に配列された前記選択された直交カバーウォルシュコードで少なくとも１つのサブセットを構成するステップと、
前記構成された少なくとも１つのサブセットからサブフレームの第１及び第２のスロットで使用するサブセットを選択するステップと、
各スロットで選択されたサブセットの直交カバーウォルシュコード及びＺａｄｏｆｆ−Ｃｈｕ（ＺＣ）シーケンス循環シフト値を前記ＡＣＫ／ＮＡＣＫチャネルインデックスに割り当てるステップと、
を具備することを特徴とする方法。
【請求項２】
前記サブセットを構成するステップは、
前記端末が高速で移動してチャネルがフェージングを経験する場合に、ウォルシュコードＷ０とＷ３間の干渉レベルは、最大干渉レベルである１の１０％であり、
前記ＣＤＦが９０％である場合に、ウォルシュコードＷ０とＷ２間の相互干渉を示すＲ（０，２）は、約０．７５であり、９０％のＣＤＦでのＲ（０，３）より大きく、
３つのウォルシュコードが１つのスロットでＡＣＫ／ＮＡＣＫチャネル送信のために使用される場合に、ウォルシュコードのサブセットは、次の＜表１＞により作成される、
ことに基づく少なくとも１つのサブセットを構成するステップを具備することを特徴とする請求項１に記載の方法。
【表１】
2010536230.tif 000007
【請求項３】
前記ＡＣＫ／ＮＡＣＫチャネルインデックスに割り当てるステップは、
前記サブセットの直交カバーウォルシュコードの中で相互干渉が小さく発生する直交カバーウォルシュコードを、ＡＣＫ／ＮＡＣＫチャネルインデックスがさらに多く割り当てられるＺＣシーケンス循環シフト値を用いて、ＡＣＫ／ＮＡＣＫチャネルインデックスに割り当てるステップをさらに具備することを特徴とする請求項１に記載の方法。
【請求項４】
前記ＡＣＫ／ＮＡＣＫチャネルインデックスに割り当てるステップは、
第１のスロットで第１の直交カバーウォルシュコードを使用したＡＣＫ／ＮＡＣＫチャネルインデックスに、第２のスロットで第２の直交カバーウォルシュコードを割り当てるステップをさらに具備することを特徴とする請求項３に記載の方法。
【請求項５】
前記ＡＣＫ／ＮＡＣＫチャネルインデックスに割り当てるステップは、
第２のスロットでＡＣＫ／ＮＡＣＫチャネルインデックスに、前記第２の直交カバーウォルシュコードにマッピングされたＺＣシーケンス循環シフト値をランダムに変更された順序に割り当てるステップをさらに具備することを特徴とする請求項４に記載の方法。
【請求項６】
前記ＡＣＫ／ＮＡＣＫチャネルインデックスに割り当てるステップは、
第１のスロットで同一の直交カバーウォルシュコードを使用するＡＣＫ／ＮＡＣＫチャネルインデックスに割り当てられたＺＣシーケンス循環シフト値のシーケンスを、第２のスロットでランダムに変更するステップをさらに具備することを特徴とする請求項３に記載の方法。
【請求項７】
前記ＡＣＫ／ＮＡＣＫチャネルインデックスに割り当てるステップは、
第１のスロットでＡＣＫ／ＮＡＣＫチャネルに割り当てられた直交カバーウォルシュコード及びＺＣシーケンス循環シフト値を、第２のスロットでランダムに変更するステップを具備することを特徴とする請求項３に記載の方法。
【請求項８】
前記サブセットを選択するステップは、
第１のスロット及び第２のスロットに異なるサブセットを選択するステップをさらに具備すること特徴とする請求項３に記載の方法。
【請求項９】
前記ＡＣＫ／ＮＡＣＫチャネルインデックスに割り当てるステップは、
第１のスロットで第１の直交カバーウォルシュコードを使用したＡＣＫ／ＮＡＣＫチャネルインデックスに、第２のスロットで第２の直交カバーウォルシュコードを割り当てるステップをさらに具備することを特徴とする請求項８に記載の方法。
【請求項１０】
前記ＡＣＫ／ＮＡＣＫチャネルインデックスに割り当てるステップは、
第２のスロットでＡＣＫ／ＮＡＣＫチャネルインデックスに、前記第２の直交カバーウォルシュコードにマッピングされたＺＣシーケンス循環シフト値を、ランダムに変更された順序に割り当てるステップをさらに具備することを特徴とする請求項９に記載の方法。
【請求項１１】
前記ＡＣＫ／ＮＡＣＫチャネルインデックスに割り当てるステップは、
第１のスロットで同一の直交カバーウォルシュコードを使用するＡＣＫ／ＮＡＣＫチャネルインデックスに割り当てられたＺＣシーケンス循環シフト値のシーケンスを、第２のスロットでランダムに変更するステップをさらに具備することを特徴とする請求項８に記載の方法。
【請求項１２】
前記ＡＣＫ／ＮＡＣＫチャネルインデックスに割り当てるステップは、
第１のスロットでＡＣＫ／ＮＡＣＫチャネルに割り当てられた直交カバーウォルシュコード及びＺＣシーケンス循環シフト値を、第２のスロットでランダムに変更するステップをさらに具備することを特徴とする請求項８に記載の方法。
【請求項１３】
無線通信システムにおける端末（ＵＥ）が肯定応答（ＡＣＫ）／否定応答（ＮＡＣＫ）チャネルにリソースを割り当てる装置であって、
ＡＣＫ／ＮＡＣＫシンボルを生成するＡＣＫ／ＮＡＣＫシンボル生成器と、
使用可能な直交カバーウォルシュコードの中で所定数の直交カバーウォルシュコードを選択し、相互干渉程度が小さい順に配列された少なくとも１つのサブセットからサブフレームの第１のスロット及び第２のスロットで使用するサブセットを選択し、前記サブセットに対応する前記ＡＣＫ／ＮＡＣＫ情報を送信するＡＣＫ／ＮＡＣＫチャネルにマッピングされる直交カバーシーケンスシンボルを生成する直交カバーシンボル生成器と、
前記ＡＣＫ／ＮＡＣＫシンボルに直交カバーシーケンスシンボルを乗算する第１の乗算器と、
前記乗算されたＡＣＫ／ＮＡＣＫシンボル及び生成された基準信号（ＲＳ）シンボルを予め定められた少なくとも１つのシンボルタイミングで出力するマルチプレクサと、
前記マルチプレクサにより出力された前記乗算されたＡＣＫ／ＮＡＣＫシンボルにＺａｄｏｆｆ−Ｃｈｕ（ＺＣ）シーケンスを乗算する第２の乗算器と、
前記ＡＣＫ／ＮＡＣＫシンボルの送信のために設定された帯域に前記第２の乗算器から出力された信号を割り当てるサブキャリアマッパーと、
を具備することを特徴とする装置。
【請求項１４】
前記直交カバーシンボル生成器は、
前記サブセットの直交カバーウォルシュコードの中で相互干渉が小さく発生する直交カバーウォルシュコードを、ＡＣＫ／ＮＡＣＫチャネルインデックスがさらに多く割り当てられるＺＣシーケンス循環シフト値を用いて送信されるＡＣＫ／ＮＡＣＫチャネルインデックスに割り当てるようにさらに構成されていることを特徴とする請求項１３に記載の装置。
【請求項１５】
前記直交カバーシンボル生成器は、
第１のスロットで第１の直交カバーウォルシュコードを使用したＡＣＫ／ＮＡＣＫチャネルインデックスに、第２のスロットで第２の直交カバーウォルシュコードを割り当てるようにさらに構成されていることを特徴とする請求項１４に記載の装置。
【請求項１６】
前記第２の乗算器は、
第２のスロットでＡＣＫ／ＮＡＣＫチャネルインデックスに、前記第２の直交カバーウォルシュコードにマッピングされたＺＣシーケンス循環シフト値を、ランダムに変更された順序に割り当てるようにさらに構成されていることを特徴とする請求項１５に記載の装置。
【請求項１７】
前記第２スロットの前記第２の乗算器は、
第１のスロットで同一の直交カバーウォルシュコードを使用するＡＣＫ／ＮＡＣＫチャネルインデックスに割り当てられたＺＣシーケンス循環シフト値のシーケンスを、第２のスロットでランダムに変更するようにさらに構成されていることを特徴とする請求項１４に記載の方法。
【請求項１８】
前記直交カバーシンボル生成器は、
第１のスロット及び第２のスロットで適用するサブセットが相互に異なることを特徴とする請求項１４に記載の装置。
【請求項１９】
前記直交カバーシンボル生成器は、
第１のスロットで第１の直交カバーウォルシュコードを使用したＡＣＫ／ＮＡＣＫチャネルインデックスに、第２のスロットで第２の直交カバーウォルシュコードを割り当てることを特徴とする請求項１８に記載の装置。
【請求項２０】
前記第２の乗算器は、
第２のスロットでＡＣＫ／ＮＡＣＫチャネルインデックスに、前記第２の直交カバーウォルシュコードにマッピングされたＺＣシーケンス循環シフト値を、ランダムに変更された順序に割り当てるようにさらに構成されていることを特徴とする請求項１９に記載の装置。
【請求項２１】
前記第２の乗算器は、
第１のスロットで同一の直交カバーウォルシュコードを使用するＡＣＫ／ＮＡＣＫチャネルインデックスに割り当てられたＺＣシーケンス循環シフト値のシーケンスを、第２のスロットでランダムに変更するようにさらに構成されていることを特徴とする請求項１８に記載の装置。
【発明の詳細な説明】
【技術分野】
【０００１】
本発明は、セルラー無線通信システムに関し、特に、セルラー無線通信システムにおける制御情報にリソースを割り当てる装置及び方法に関する。
【背景技術】
【０００２】
移動通信システムは、ユーザに対して移動性を保証しつつ通信をサポートするために開発されてきた。このような移動通信システムは、通信技術の急速な発達により、音声サービスだけでなく高速のデータサービスもサポートできる向上した通信システムに発展している。現在、移動通信システムは、より高速のデータサービスに対する要求を満足させるために急速に進化している。その一例が３ＧＰＰ（3rd  Generation  Partnership  Project）により提案された次世代移動通信標準規格であるＥＵＴＲＡ（Enhanced  Universal  Terrestrial  Radio  Access）システムである。
【０００３】
移動通信システムは、時分割多重接続（Time  Division  Multiple  Access：ＴＤＭＡ）、符号分割多重接続（Code  Division  Multiple  Access：ＣＤＭＡ）、及び周波数分割多重接続（Frequency  Division  Multiple  Access：ＦＤＭＡ）方式のような多様なタイプに分類されることができる。その中で、ＣＤＭＡが一般的に使用される。しかしながら、ＣＤＭＡは、制限された直交符号の数により大量のデータを高速でサポートするのに困難性を有するため、ＦＤＭＡの一種である直交周波数分割多重接続（Orthogonal  Frequency  Division  Multiple  Access：ＯＦＤＭＡ）及びシングルキャリア−周波数分割多重接続（Single Carrier-Frequency Division Multiple Access：以下、“ＳＣ−ＦＤＭＡ”と称する。）の各々は、ＥＵＴＲＡのダウンリンク及びアップリンク標準技術として採用されている。
【０００４】
ＥＵＴＲＡシステムにおいて、アップリンク（ＵＬ）制御情報は、ダウンリンク（ＤＬ）データの受信に成功したか否かを示す肯定応答（ＡＣＫ）／否定応答（ＮＡＣＫ）フィードバック情報及びダウンリンクチャネル状態を示すチャネル品質指示（ＣＱＩ）情報を含む。
【０００５】
一般的に、１ビットで構成されるＡＣＫ／ＮＡＣＫ情報は、受信性能の向上及びセルカバレッジの拡大のために数回繰り返し送信される。一般的に、ＣＱＩ情報は、チャネル状態を表現するために複数のビットで構成され、受信性能の向上及びセルカバレッジの拡大のためにチャネル符号化された後に送信される。ＣＱＩ情報に対するチャネル符号化方法では、ブロック符号化又は畳み込み符号化方式などが可能である。
【０００６】
制御情報の受信に要求される受信信頼度は、制御情報のタイプに従って決定される。約１０−２〜１０−４のビット誤り率（Bit  Error  Rate：ＢＥＲ）が要求されるＡＣＫ／ＮＡＣＫは、１０−２〜１０−１のＣＱＩより低いＢＥＲが要求される。
【０００７】
ＥＵＴＲＡシステムにおいて、端末（ＵＥ）がデータなしにアップリンク制御情報チャネルのみを送信する場合には、制御情報送信のために割り当てられた特定の周波数帯域を使用する。制御情報のみを送信するための物理チャネルは、物理アップリンク制御チャネル（Physical  Uplink  Control  Channel：以下、“ＰＵＣＣＨ”と称する。）として定義され、ＰＵＣＣＨは、割り当てられた特定の周波数帯域にマッピングされる。
【０００８】
図１を参照して、ＰＵＣＣＨ送信構成について具体的に説明する。
【０００９】
図１は、３ＧＰＰ ＥＵＴＲＡシステムにおけるアップリンクで制御情報を送信するためのＰＵＣＣＨ送信構成を示す。
【００１０】
図１を参照すると、横軸は時間領域を示し、縦軸は周波数領域を示す。時間領域の範囲は、１つのサブフレーム１０２で示し、周波数領域の範囲は、システム送信帯域幅１１０で示す。アップリンクの基本送信単位であるサブフレーム１０２は、１ｍｓの長さを有し、１つのサブフレームは、０.５ｍｓの２つのスロット１０４及び１０６で構成される。スロット１０４及び１０６の各々は、複数のＳＣ−ＦＤＭＡシンボル１１１乃至１２４及び１３１乃至１３７、又は１１８乃至１２４及び１３８乃至１４４で構成される。図１は、１つのスロットが７個のＳＣ−ＦＤＭＡシンボルで構成される一例を示す。
【００１１】
周波数領域の最小単位はサブキャリアであり、リソース割り当ての基本単位はリソースブロック（ＲＢ）１０８又は１０９である。ＲＢ１０８及び１０９の各々は、複数のサブキャリア及び複数のＳＣ−ＦＤＭＡシンボルで構成される。図１に示す例において、１２個のサブキャリア及び２スロットを構成する１４個のＳＣ−ＦＤＭＡシンボルは、１つのＲＢを形成する。ＯＦＤＭ送信が適用されるダウンリンクでも、１つのＲＢは、１２個のサブキャリア及び１４個のＯＦＤＭシンボルで構成される。
【００１２】
ＰＵＣＣＨがマッピングされる周波数帯域は、システム送信帯域幅１１０の両端に対応するＲＢ１０８又は１０９に対応する。場合によって、基地局（Ｎｏｄｅ Ｂ）は、複数のユーザが制御情報を送信するように許容するために、ＰＵＣＣＨ送信のための複数のＲＢを割り当てることができる。このＰＵＣＣＨは、１つのサブフレームの間に周波数ダイバーシティを増加させるために周波数ホッピングを適用することができ、この場合に、スロット単位のホッピングが可能である。参照符号１５０及び参照符号１６０は、周波数ホッピングを示す。以下に、周波数ホッピングについて詳細に説明する。
【００１３】
第１のスロット１０４でＲＢ１０８を介して送信された第１の制御情報（制御＃１）は、第２のスロット１０６で周波数ホッピングされた後に、ＲＢ１０９を介して送信される。他方、第１のスロット１０４でＲＢ１０９を介して送信された第２の制御情報（制御＃２）は、第２のスロット１０６で周波数ホッピングされた後に、ＲＢ１０８を介して送信される。
【００１４】
図１の例において、１つのサブフレーム１０２において、制御＃１は、ＳＣ−ＦＤＭＡシンボル１１１，１１３，１１４，１１５，１１７，１３８，１４０，１４１，１４２，及び１４４で送信され、制御＃２は、ＳＣ−ＦＤＭＡシンボル１３１，１３３，１３４，１３５，１３７，１１８，１２０，１２１，１２２，１２４で送信される。また、基準信号（ＲＳ）は、パイロットＳＣ−ＦＤＭＡシンボル１１２，１１６，１３９，１４３（又は１３２，１３６，１１９，１２３）で送信される。パイロット信号は、所定のシーケンスで生成され、受信器でコヒーレント復調のためのチャネル推定に使用される。図１において、制御情報送信用ＳＣ−ＦＤＭＡシンボルの個数、ＲＳ送信用ＳＣ−ＦＤＭＡシンボルの個数、及びＳＣ−ＦＤＭＡシンボルの位置は、例として示したものであり、送信される制御情報のタイプ又はシステム運用に基づいて変更されることがある。
【００１５】
符号分割多重化（Code Division Multiplexing：以下、“ＣＤＭ”と称する。）は、ＰＵＣＣＨを介して送信されるＡＣＫ／ＮＡＣＫ情報、ＣＱＩ情報、及び多入力多出力（Multiple Input Multiple Output：ＭＩＭＯ）フィードバック情報のようなアップリンク制御情報を異なるユーザに対して多重化するために使用されることができる。ＣＤＭは、周波数分割多重化（Frequency Division Multiplexing：以下、“ＦＤＭ”と称する。）に比べて干渉信号に強い。
【００１６】
Ｚａｄｏｆｆ−Ｃｈｕ（ＺＣ）シーケンスは、制御情報をＣＤＭ多重化するために使用されるシーケンスとして議論されている。ＺＣシーケンスは、時間及び周波数領域で一定の信号振幅（constant envelop）を有するため、良好なピーク電力対平均電力比（Peak to Average Power Ratio：以下、“ＰＡＰＲ”と称する。）の特性を有し、周波数領域で優れたチャネル推定性能を有する。また、ＺＣシーケンスは、非ゼロ（Non-zero）シフトに対する循環自動相関（circular auto-correlation）が０である特徴を有する。したがって、同一のＺＣシーケンスを用いて制御情報を送信するＵＥは、相互に異なるＺＣシーケンスの循環シフト値を用いて識別することができる。
【００１７】
実際の無線チャネル環境においては、無線送信経路の最大送信遅延値より大きい条件を満たすように多重化しようとする各ＵＥ別に、異なる循環シフト値が設定され、これにより、ユーザ間の直交性が維持される。したがって、多重接続可能なＵＥの個数は、ＺＣシーケンスの長さ及び循環シフト値に従って決定される。また、ＺＣシーケンスは、循環シフト値を用いて相互に異なるＵＥ間のＲＳを識別するために、ＲＳ送信用ＳＣ−ＦＤＭＡシンボルにも適用されることができる。
【００１８】
一般に、ＰＵＣＣＨに使用されるＺＣシーケンスの長さは、１つのＲＢを構成するサブキャリアの個数と同一の１２個のサンプルであると仮定される。この場合に、ＺＣシーケンスの相互に異なる循環シフト値の可能な最大個数は１２であるため、ＰＵＣＣＨに相互に異なる循環シフト値を割り当てることにより、１つのＲＢで最大１２個のＰＵＣＣＨを多重化することができる。ＥＵＴＲＡシステムで一般的に考慮される無線チャネルモデルであるＴＵ（Typical Urban）モデルは、周波数選択的なチャネル特性のため、少なくとも２サンプル間隔でＰＵＣＣＨに循環シフト値を適用する。これは、１つのＲＢで循環シフト値の数を６個以下に制限することを意味する。その結果、一対一に循環シフト値にマッピングされるＰＵＣＣＨ間の直交性は、急激な損失なしに維持される。
【００１９】
図２は、図１の構成を有するＰＵＣＣＨを介してＣＱＩを送信する場合に、同一のＲＢ内でＺＣシーケンスの相互に異なる循環シフト値を用いてＵＥ別にＣＱＩを多重化する一例を示す。
【００２０】
図２を参照すると、縦軸２００は、ＺＣシーケンスの循環シフト値を示す。ＴＵモデルを無線チャネルとして仮定すると、直交性の急激な損失なしに１つのＲＢで多重化可能な最大チャネルの個数は６である。したがって、６個のＣＱＩ２０２，２０４，２０６，２０８，２１０，及び２１２（ＣＱＩ＃１乃至＃６）が多重化される。図２の例において、同一のＲＢ及び同一のＺＣシーケンスがＣＱＩ情報の送信のために次のように使用される。循環シフト値‘０’（参照符号２１４で示す）は、ＵＥ＃１からのＣＱＩ＃１に適用し、循環シフト値‘２’（参照符号２１８で示す）は、ＵＥ＃２からのＣＱＩ＃２に適用し、循環シフト値‘４’（参照符号２２２で示す）は、ＵＥ＃３からのＣＱＩ＃３に適用し、循環シフト値‘６’（参照符号２２６で示す）は、ＵＥ＃４からのＣＱＩ＃４に適用し、循環シフト値‘８’（参照符号２３０で示す）は、ＵＥ＃５からのＣＱＩ＃５に適用し、循環シフト値‘１０’（参照符号２３４で示す）は、ＵＥ＃６からのＣＱＩ＃６に適用する。
【００２１】
図１を参照して、ＺＣシーケンスに基づくＣＤＭ方式の制御情報の送信で制御情報信号及びＺＣシーケンス間のマッピングについて説明する。
【００２２】
ＵＥ＃ｉに対して、長さＮのＺＣシーケンスは、ｇ（ｎ＋Δｉ）ｍｏｄ  Ｎとして定義され、ここで、ｎ＝０，．．．，Ｎ−１であり、Δｉは、ＵＥ＃ｉに対する循環シフト値を示し、ｉは、ＵＥを識別するために使用されるＵＥのインデックスを示す。また、ＵＥ＃ｉから送信される制御情報信号は、ｍｉ，ｋとして定義され、ここで、ｋ＝１，．．．，Ｎｓｙｍである。Ｎｓｙｍが１つのサブフレームで制御情報送信用ＳＣ−ＦＤＭＡシンボルの個数である場合に、各ＳＣ−ＦＤＭＡシンボルにマッピングされる信号ｃｉ，ｋ，ｎ（ＵＥ＃ｉからのｋ番目のＳＣ−ＦＤＭＡシンボルのｎ番目のサンプル）は、次の数式（１）のように定義される。
【００２３】
【数１】
2010536230.tif 000003
【００２４】
ここで、ｋ＝１，．．．，Ｎｓｙｍであり、ｎ＝０，１，．．．，Ｎ−１であり、Δｉは、ＵＥｉの循環シフト値を意味する。
【００２５】
図１において、１つのサブフレームで制御情報送信用ＳＣ−ＦＤＭＡシンボルの個数Ｎｓｙｍは、４個のＲＳ送信用ＳＣ−ＦＤＭＡシンボルを除いた１０である。ＺＣシーケンス長さＮは、１つのＲＢを構成するサブキャリアの個数と同一の１２である。１つのＵＥの観点から見ると、循環シフトされたＺＣシーケンスは、各ＳＣ−ＦＤＭＡシンボルに適用され、送信される制御情報信号は、制御情報送信用ＳＣ−ＦＤＭＡシンボルごとに１つの変調シンボルを時間領域の循環シフトされたＺＣシーケンスに乗じることにより構成される。したがって、サブフレーム当たり最大Ｎｓｙｍ個の制御情報の変調シンボルが送信されることができる。すなわち、図１の例では、最大１０個の制御情報変調シンボルが図１に示した１つのサブフレームで送信されることができる。
【００２６】
ＺＣシーケンスに基づくＣＤＭ制御情報送信方式に加えて、時間領域の直交カバーを適用することにより制御情報を送信するＰＵＣＣＨの多重化容量を増大させることができる。直交カバーの代表的な例としてウォルシュシーケンスが挙げられる。長さＭの直交カバーは、相互間に直交性を満足するＭ個の直交シーケンスが存在する。具体的には、ＡＣＫ／ＮＡＣＫのように１ビットで構成される制御情報の場合に、時間領域直交カバーをＡＣＫ／ＮＡＣＫがマッピングされるＳＣ−ＦＤＭＡシンボルを適用することにより、多重化容量を増加させることができる。ＥＵＴＲＡシステムは、ＡＣＫ／ＮＡＣＫ送信のためのＰＵＣＣＨがチャネル推定性能を向上させるためにスロット当たり３個のＲＳ送信用ＳＣ−ＦＤＭＡシンボルを使用することを考慮する。したがって、１つのスロットが７個のＳＣ−ＦＤＭＡシンボルで構成される図１の例において、ＡＣＫ／ＮＡＣＫ送信に対して４個のＳＣ−ＦＤＭＡシンボルが使用可能である。無線チャネルの変化による直交性の損失は、時間領域直交カバーが適用される時間間隔を１つのスロット以下に制限することにより最小化することができる。長さ４の直交カバーは、４個のＡＣＫ／ＮＡＣＫ送信用ＳＣ−ＦＤＭＡシンボルに適用され、長さ３の直交カバーは、３個のＲＳ送信用ＳＣ−ＦＤＭＡシンボルに適用される。ＡＣＫ／ＮＡＣＫ及びＲＳを送信するユーザは、ＺＣシーケンスの循環シフト値で識別可能であり、付加的なユーザの識別は、直交カバーにより可能である。ＡＣＫ／ＮＡＣＫのコヒーレント受信のために、ＡＣＫ／ＮＡＣＫに一対一にマッピングされるＲＳが存在しなければならないため、ＡＣＫ／ＮＡＣＫ信号の多重化容量は、ＡＣＫ／ＮＡＣＫにマッピングされるＲＳにより制限される。例えば、ＲＢ当たり最大６個の循環シフト値が考慮されるＴＵチャネルモデルにおいて、長さ３の相互に異なる時間領域直交カバーは、ＲＳに使用されたＺＣシーケンスの各循環シフト値に適用されることができる。その結果、最大１８個の異なるユーザからのＲＳを多重化することができる。ＡＣＫ／ＮＡＣＫ信号は、一対一でＲＳに対応するため、ＲＢ当たり最大１８個のＡＣＫ／ＮＡＣＫ信号が多重化されることができる。この場合に、ＡＣＫ／ＮＡＣＫに使用可能な長さ４の直交カバーは４個が存在し、その中で３個の直交カバーが使用される。ＡＣＫ／ＮＡＣＫに適用される直交カバーは、予め定められるか又はシグナリングによりＵＥとＥＮＢとの間で共通に認識されることができる。その結果、時間領域直交カバーを使用しない場合に比べて、多重化容量が３倍増加することができる。
【００２７】
図３は、上述したＡＣＫ／ＮＡＣＫ送信のためのＰＵＣＣＨ構成において、同一のＲＢでＺＣシーケンスの相互に異なる循環シフト値に加えて、時間領域直交カバーでＵＥ別にＡＣＫ／ＮＡＣＫを多重化する一例を示す。
【００２８】
図３を参照すると、縦軸３００は、ＺＣシーケンスの循環シフト値を示し、横軸３０２は、時間領域直交カバーを示す。無線チャネルとして仮定されるＴＵモデルにおいて、１つのＲＢで直交性の急激な損失なしに多重化が可能な最大循環シフト値の数は６であり、長さ４である３個の直交カバー３６４，３６６，及び３６８が付加で使用される。したがって、最大１８（６ｘ３）個のＡＣＫ／ＮＡＣＫチャネル３０４，３０６，３０８，３１０，３１２，３１４，３１６，３１８，３２０，３２２，３２４，３２６，３２８，３３０，３３２，３３４，３３６，及び３３８（ＡＣＫ／ＮＡＣＫ＃１乃至ＡＣＫ／ＮＡＣＫ＃１８）を多重化することができる。図３の例において、ＡＣＫ／ＮＡＣＫは、同一のＲＢで同一のＺＣシーケンスを用いて送信される。ＡＣＫ／ＮＡＣＫの送信のために、循環シフト値‘０’（参照符号３４０で示す）及び直交カバー‘０’（参照符号３６４で示す）は、ＵＥ＃１からのＡＣＫ／ＮＡＣＫ＃１に適用し、循環シフト値‘０’（参照符号３４０で示す）及び直交カバー‘１’（参照符号３６６で示す）は、ＵＥ＃２からのＡＣＫ／ＮＡＣＫ＃２に適用し、循環シフト値‘０’（参照符号３４０で示す）及び直交カバー‘２’（参照符号３６８で示す）は、ＵＥ＃３からのＡＣＫ／ＮＡＣＫ＃３に適用する。このような方式で、循環シフト値‘１０’（参照符号３６０で示す）及び直交カバー‘０’（参照符号３６４で示す）は、ＵＥ＃１６からのＡＣＫ／ＮＡＣＫ＃１６に適用し、循環シフト値‘１０’（参照符号３６０で示す）及び直交カバー‘１’（参照符号３６６で示す）は、ＵＥ＃１７からのＡＣＫ／ＮＡＣＫ＃１７に適用し、循環シフト値‘１０’（参照符号３６０で示す）及び直交カバー‘２’（参照符号３６８で示す）は、ＵＥ＃１８からのＡＣＫ／ＮＡＣＫ＃１８に適用する。直交カバー３６４，３６６，及び３６８は、それらの間に直交性を満足させる長さ４の直交コードである。
【００２９】
図３に示したＡＣＫ／ＮＡＣＫチャネルの送信信号フォーマットを図４に具体的に示す。
【００３０】
図４は、ＡＣＫ／ＮＡＣＫ＃５及びＡＣＫ／ＮＡＣＫチャネル＃１６を１つのスロットで送信するための送信フォーマットを示す。図４を参照すると、Ｗｉ＝［Ｗｉ，０Ｗｉ，１Ｗｉ，２Ｗｉ，３］、ここで、ｉ＝０、．．．、３は、下記の数式（２）のようにウォルシュアダマール（Walsh-Hadamard）マトリックスから生成された長さ４のウォルシュコードであることができる。
【００３１】
【数２】
2010536230.tif 000004
【００３２】
Ｄｉ＝［Ｄｉ，０Ｄｉ，１Ｄｉ，２］、ここで、ｉ＝０、．．．、２は、下記の数式（３）のように定義された長さ３のフーリエシーケンスであることができる。
【００３３】
【数３】
2010536230.tif 000005
【００３４】
例えば、ＡＣＫ／ＮＡＣＫチャネル＃５のＡＣＫ／ＮＡＣＫシンボルｂは、長さ１２のＺＣシーケンス［ｓ１、ｓ２、．．．、ｓ１２］が２つのサンプルだけ循環シフトされたシーケンス４０５［ｓ３、ｓ４、．．．、ｓ１２、ｓ１、ｓ２］と乗じられ、ＳＣ−ＦＤＭＡシンボル４０１乃至４０４で反復される。その後に、この乗じられたシーケンスは、ＳＣ−ＦＤＭＡシンボル４０１乃至４０４で直交カバー‘１'のウォルシュシーケンスチップ値Ｗ１，０、Ｗ１，１、Ｗ１，２、Ｗ１，３とさらに乗じられる。一方、ＡＣＫ／ＮＡＣＫチャネル＃１６のＡＣＫ／ＮＡＣＫシンボルｂは、長さ１２のＺＣシーケンス［ｓ１、ｓ２、．．．、ｓ１２］が１０つのサンプルだけ循環シフトされたシーケンス４１５［ｓ１１、ｓ１２、ｓ１．．．、ｓ９、ｓ１０］と乗じられ、ＳＣ−ＦＤＭＡシンボル４１１乃至４１４で反復される。その後に、この乗じられたシーケンスは、ＳＣ−ＦＤＭＡシンボル４１１乃至４１４で直交カバー‘０'のウォルシュシーケンスチップ値Ｗ０，０、Ｗ０，１、Ｗ０，２、Ｗ０，３とさらに乗じられる。
【００３５】
この直交カバーコード間の直交性は、チャネルが弱いフェージングを経験する場合にはよく保持されるが、ＵＥが高速で移動し、これに従って、１つのスロットで受信された信号のレベルが時間選択性フェージング（time selective fading）によりＳＣ−ＦＤＭＡシンボル間で変化がかなり大きい場合には、この直交性は、崩れる可能性がある。その場合には、同一の循環シフト値が適用されたＡＣＫ／ＮＡＣＫチャネル間で干渉が発生する。例えば、図３において、ＡＣＫ／ＮＡＣＫ＃１を送信するＵＥ＃１が高速で移動する場合に、ＡＣＫ／ＮＡＣＫ＃１の信号は、他のＵＥからのＡＣＫ／ＮＡＣＫ＃２及び＃３の信号と干渉することにより、ＡＣＫ／ＮＡＣＫ＃２及び＃３の受信性能を低下させる。
【発明の概要】
【発明が解決しようとする課題】
【００３６】
したがって、本発明は、上述した従来技術の問題点を解決するために提案されたものであり、その目的は、ＺＣシーケンスの循環シフトを用いてＡＣＫ／ＮＡＣＫチャネルが同一の周波数リソースに多重化され送信されるシステムにおいて、ＡＣＫ／ＮＡＣＫチャネルが時間領域直交カバーとしてのウォルシュコードで付加的に多重化される場合に、端末の高速移動環境下でもＡＣＫ／ＮＡＣＫチャネル相互間の干渉を最小化できるＡＣＫ／ＮＡＣＫチャネルにリソースを割り当てるための装置及び方法を提供することにある。
【００３７】
本発明の他の目的は、ＡＣＫ／ＮＡＣＫチャネルに適用されたウォルシュコードがスロット間で変わる場合に、すなわち、直交カバーホッピングが発生する場合に、セル間の干渉及びＵＥの高速移動による干渉の影響を最小化できる直交カバーホッピングを実行するための装置及び方法を提供することにある。
【００３８】
本発明のまた他の目的は、直交カバーホッピングが発生しない場合にもＵＥの高速移動による干渉の影響を最小化できる直交カバーリソースを割り当てるための方法を提供することにある。
【課題を解決するための手段】
【００３９】
上記のような目的を達成するために、本発明の一態様によれば、無線通信システムにおける端末（ＵＥ）が肯定応答（ＡＣＫ）／否定応答（ＮＡＣＫ）送信を必要とする場合に、コードリソースをＡＣＫ／ＮＡＣＫチャネルインデックスに割り当てる方法を提供する。上記方法は、使用可能な直交カバーウォルシュコードの中で所定数の直交カバーウォルシュコードを選択するステップと、相互干渉程度が小さい順に配列された上記選択された直交カバーウォルシュコードで少なくとも１つのサブセットを構成するステップと、上記構成された少なくとも１つのサブセットからサブフレームの第１及び第２のスロットで使用するサブセットを選択するステップと、各スロットで選択されたサブセットの直交カバーウォルシュコード及びＺａｄｏｆｆ−Ｃｈｕ（ＺＣ）シーケンス循環シフト値を上記ＡＣＫ／ＮＡＣＫチャネルインデックスに割り当てるステップと、を具備することを特徴とする。
【００４０】
本発明の他の態様によれば、無線通信システムにおける端末（ＵＥ）が肯定応答（ＡＣＫ）／否定応答（ＮＡＣＫ）チャネルにリソースを割り当てる装置を提供する。上記装置は、ＡＣＫ／ＮＡＣＫシンボルを生成するＡＣＫ／ＮＡＣＫシンボル生成器と、使用可能な直交カバーウォルシュコードの中で所定数の直交カバーウォルシュコードを選択し、相互干渉程度が小さい順に配列された少なくとも１つのサブセットからサブフレームの第１のスロット及び第２のスロットで使用するサブセットを選択し、上記サブセットに対応する上記ＡＣＫ／ＮＡＣＫ情報を送信するＡＣＫ／ＮＡＣＫチャネルにマッピングされる直交カバーシーケンスシンボルを生成する直交カバーシンボル生成器と、上記ＡＣＫ／ＮＡＣＫシンボルに直交カバーシーケンスシンボルを乗算する第１の乗算器と、上記乗算されたＡＣＫ／ＮＡＣＫシンボル及び生成された基準信号（ＲＳ）シンボルを予め定められた少なくとも１つのシンボルタイミングで出力するマルチプレクサと、上記マルチプレクサにより出力された上記乗算されたＡＣＫ／ＮＡＣＫシンボルにＺａｄｏｆｆ−Ｃｈｕ（ＺＣ）シーケンスを乗算する第２の乗算器と、上記ＡＣＫ／ＮＡＣＫシンボルの送信のために設定された帯域に上記第２の乗算器から出力された信号を割り当てるサブキャリアマッパーと、を具備することを特徴とする。
【発明の効果】
【００４１】
本発明による直交カバー割当て及びホッピング技術は、高速の移動環境でも循環シフトされた同一のＺＣシーケンスを使用する多重化されたＡＣＫ／ＮＡＣＫチャネル間の干渉を減少させ、隣接セル間の干渉もランダム化することにより、アップリンクＡＣＫ／ＮＡＣＫチャネルの受信性能を改善させ、セルカバレッジを拡張させることができるという効果を奏ずる。
【図面の簡単な説明】
【００４２】
【図１】ＥＵＴＲＡ ＵＬ制御チャネルの構成を示す図である。
【図２】ＥＵＴＲＡ ＵＬ ＣＱＩチャネルの多重化構成の例を示す図である。
【図３】ＥＵＴＲＡ ＵＬ ＡＣＫ／ＮＡＣＫチャネルの多重化構成の例を示す図である。
【図４】ＥＵＴＲＡ ＵＬ ＡＣＫ／ＮＡＣＫチャネルのサブフレーム構成の例を示す図である。
【図５】ＥＵＴＲＡ ＵＬ ＡＣＫ／ＮＡＣＫチャネルの直交カバーとしてウォルシュコードが使用された場合の相互干渉のＣＤＦのコンピューターを使用したシミュレーション結果を示すグラフである。
【図６】本発明の第１の実施形態によるＡＣＫ／ＮＡＣＫチャネルへのリソース割当方法を示す図である。
【図７】本発明の第２の実施形態によるＡＣＫ／ＮＡＣＫチャネルへのリソース割当方法を示す図である。
【図８】本発明の第３の実施形態によるＡＣＫ／ＮＡＣＫチャネルへのリソース割当方法を示す図である。
【図９】本発明の第３の実施形態によるもう１つのＡＣＫ／ＮＡＣＫチャネルへのリソース割当方法を示す図である。
【図１０】本発明の第４の実施形態によるＡＣＫ／ＮＡＣＫチャネルへのリソース割当方法を示す図である。
【図１１】本発明の第５の実施形態によるＡＣＫ／ＮＡＣＫチャネルへのリソース割当方法を示す図である。
【図１２】本発明の第６の実施形態によるＡＣＫ／ＮＡＣＫチャネルへのリソース割当方法を示す図である。
【図１３】本発明の第６の実施形態によるもう１つのＡＣＫ／ＮＡＣＫチャネルへのリソース割当方法を示す図である。
【図１４】本発明の第７の実施形態によるＡＣＫ／ＮＡＣＫチャネルへのリソース割当方法を示す図である。
【図１５】本発明の実施形態によるＵＥの送信装置の構成を示すブロック図である。
【図１６】本発明の実施形態によるＵＥの送信方法を示すフローチャートである。
【図１７】本発明の実施形態による基地局の受信装置の構成を示すブロック図である。
【図１８】本発明の実施形態による基地局の受信方法を示すフローチャートである。
【図１９】本発明の第４の実施形態による直交コードサブセットホッピングパターン生成装置を示すブロック図である。
【発明を実施するための形態】
【００４３】
本発明の一実施形態の目的、特性、及び長所は、添付した図面と共に以下の説明により、さらに明確になる。
【００４４】
本発明の詳細な構成および要素として本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００４５】
本発明は、１つの端末（ＵＥ）がＡＣＫ／ＮＡＣＫチャネルに適用された直交カバーがスロット間で変わる場合に、すなわち、直交カバーホッピングが発生する場合に、ＡＣＫ／ＮＡＣＫチャネル送信のための直交カバーホッピングパターンを設計する方法を提供する。また、本発明は、直交カバーホッピングがスロット間で発生しない場合にＡＣＫ／ＮＡＣＫチャネルにリソースを割り当てるための方法を提供する。
【００４６】
スロット間のＡＣＫ／ＮＡＣＫチャネルの直交カバーホッピングは、同一の周波数帯域内の隣接セルから送信されたＡＣＫ／ＮＡＣＫチャネルからの干渉をランダム化し、ＵＥの高速移動による現在のセル内のＡＣＫ／ＮＡＣＫチャネル間の干渉をランダム化する効果を有する。
【００４７】
図５は、ＵＥが単一の経路レイリーフェージングチャネルにわたって３６０ｋｍ／ｈで移動する場合に、上述した数式（２）で説明したウォルシュコード間の相互干渉の累積分布関数（Cumulative Distribution Function：以下、“ＣＤＦ”と称する。）を示す。
【００４８】
図５を参照すると、Ｒ（ｉ，ｊ）は、ウォルシュコードＷｉとＷｊ間の相互干渉を示す。図５のグラフからわかるように、ウォルシュコードに基づいて相互干渉が変わる。例えば、ウォルシュコードＷ０とＷ３間の相互干渉を示すＲ（０，３）は、９０％のＣＤＦで干渉レベル０．１より小さい。これは、ＵＥが３６０ｋｍで移動し、したがって、チャネルがフェージングを経験する際にＣＤＦが９０％である場合には、Ｗ０とＷ３間の干渉レベルが最大干渉レベル１の１０％（すなわち、０．１）であることを意味する。他方、ウォルシュコードＷ０とＷ２間の相互干渉を示すＲ（０，２）は、９０％のＣＤＦで干渉レベルが約０．７５程度となるので、Ｒ（０，３）に比べて相互間の干渉が非常に大きくなる。
【００４９】
図３に示すように、３つのウォルシュコードが１つのスロット内にＡＣＫ／ＮＡＣＫチャネルの送信のために使用される場合に、図５のシミュレーション結果に従って次のウォルシュコードのサブセットを構成することができる。
【００５０】
【表１】
2010536230.tif 000006
【００５１】
＜表１＞において、Ｂｅｓｔ列に属しているウォルシュコードの各々は、図５に示した干渉のＣＤＦ結果を参照する際に、対応するサブセットで他のウォルシュコードともっとも小さい干渉を発生させる。第２のＢｅｓｔ列のウォルシュコードは、対応するサブセット内のＢｅｓｔ列のウォルシュコードよりは大きい干渉を発生させるが、Ｗｏｒｓｔ列のウォルシュコードに比べては小さい干渉を発生させる。Ｗｏｒｓｔ列のウォルシュコードは、対応するサブセット内でもっとも大きい干渉を発生させる。以下、Ｂｅｓｔ、第２のＢｅｓｔ、及びＷｏｒｓｔ列のウォルシュコードを各サブセット内でコードＡ、コードＢ、及びコードＣと呼ぶ。
【００５２】
例えば、サブセット２のウォルシュコードに属しているＷ０、Ｗ２、及びＷ３間の相互干渉を比較してみると、サブセット２内のコードＡであるＷ３は、Ｗ２及びＷ０のすべてについて、９０％のＣＤＦで０．２より大幅に小さい相互干渉を有する。他方、サブセット２内のコードＣであるＷ２は、Ｗ０について９０％のＣＤＦで約０．７５に達する相互干渉を有する。サブセット２内のコードＢであるＷ０は、Ｗ２について９０％のＣＤＦで約０．７５に達する相互干渉を有するが、Ｗ３について９０％のＣＤＦで０．１以下の小さい相互干渉を有する。上述した＜表１＞のウォルシュコードサブセット構成に基づいて、本発明は、ＵＥの高速移動環境でＡＣＫ／ＮＡＣＫチャネル間の干渉をランダム化することにより受信性能を改善するためにウォルシュコードリソースをＡＣＫ／ＮＡＣＫチャネルに割り当て、ＡＣＫ／ＮＡＣＫチャネルのためのコードホッピングを実行する方法を提供する。
【００５３】
上述した＜表１＞に示すサブセット２のウォルシュコードの分類は、３ＧＰＰ ＲＡＮ ＴＳＧ Ｗｏｒｋｉｎｇ Ｇｒｏｕｐ １に提出されたＲ１−０７２８５７“Coherent Uplink ACK/NACK Transmission with High Speed UEs”テキサスインスツルメンツ、２００７年６月２５日）に提示されている結論と一致する。しかしながら、Ｒ１−０７２８５７文書Ａはサブセット２のみについて議論したが、本発明は、サブセット２の場合と同様に４つのサブセットでＢｅｓｔ、第２のＢｅｓｔ、及びＷｏｒｓｔコードに分類することができる。各サブセット内のウォルシュコードの相互干渉レベルは、選択されたサブセットに関係なく同一であることを図５の結果を用いて示している。言い換えれば、＜表１＞において、コードＡ、コードＢ、コードＣ間の相互干渉は、すべてのサブセットで同一である。
【００５４】
本発明の実施形態に従ってＡＣＫ／ＮＡＣＫチャネルを送受信する方法及び装置について詳細に説明する。
【００５５】
コードリソースのＡＣＫ／ＮＡＣＫチャネルへの割当てについて、様々な実施形態は、次のような基準に基づいて実現されることができる。
【００５６】
（１）相互に異なるサブセットがサブセットホッピングにより１つのサブフレームを構成する２つのスロットで使用されるか否かである。
【００５７】
（２）１つのサブフレームを構成する２つのスロット間で直交カバーウォルシュコードホッピングが発生するか否かである。このように、２種類の直交コードホッピングは、図６及び図７に示すものと見なされることができる。
【００５８】
（３）第１のスロットでＡＣＫ／ＮＡＣＫチャネルに割り当てられたＺＣシーケンス循環シフト値のシーケンスが第２のスロットでランダムに変更するか否かである。
【００５９】
下記では、上記のような基準を組み合わせることにより実現されることができる本発明の実施形態について説明するが、上記のような基準を組み合わせることにより得られる他の実施形態も本発明の範囲に収まることは自明である。
【００６０】
図６は、本発明の第１の実施形態によるＡＣＫ／ＮＡＣＫチャネルコードリソース割り当て及びスロット間の直交カバーウォルシュコードホッピングパターンを示す。図６に示すＡＣＫ／ＮＡＣＫチャネルへのＺＣシーケンス循環シフト値の割当は、３ＧＰＰ ＲＡＮ ＴＳＧ Ｗｏｒｋｉｎｇ Ｇｒｏｕｐ １のＲ１−０７２７９９技術文書“Usage of Cyclic Shifts and Block-wise Spreading Codes for Uplink ACK/NACK”、パナソニック、２００７年６月２５日に基づいている。
【００６１】
本発明の第１の実施形態に従って図５のＣＤＦ結果に基づいて構成された＜表１＞のサブセットを用いて直交カバーウォルシュコードをＡＣＫ／ＮＡＣＫチャネルに割り当てる方法について説明する。
【００６２】
図６を参照すると、列６０４のウォルシュコードは、サブフレーム内の第１のスロットでＡＣＫ／ＮＡＣＫチャネルに割り当てられ、列６０５のウォルシュコードは、サブフレーム内の第２のスロットでＡＣＫ／ＮＡＣＫチャネルに割り当てられる。参照符号６３０で示されたＡＣＫ／ＮＡＣＫ＃０は、ＡＣＫ／ＮＡＣＫチャネル＃０を示し、説明の便宜上、他のＡＣＫ／ＮＡＣＫチャネルは、参照符号６３１で示されたＡＣＫ／ＮＡＣＫチャネル＃１２を示す＃１２からわかるように、ＡＣＫ／ＮＡＣＫチャネルインデックスだけで示される。図６に示すように、同一のパターンでＡＣＫ／ＮＡＣＫチャネルインデックスを割り当てる必要はない。もっと正確に言えば、ＡＣＫ／ＮＡＣＫチャネルの送信のために、どのＺＣシーケンス循環シフト値及びウォルシュコードリソースを使用するかを決定することが重要である。すなわち、ＡＣＫ／ＮＡＣＫ＃０は、他のＡＣＫ／ＮＡＣＫチャネルと位置を変えてもよい。
【００６３】
３ＧＰＰ ＲＡＮ ＴＳＧ Ｗｏｒｋｉｎｇ Ｇｒｏｕｐ １のＲ１−０７２７９９技術文書“Usage of Cyclic Shifts and Block-wise Spreading Codes for Uplink ACK/NACK”（パナソニック、２００７年６月２５日）で提案されたように、２本のＡＣＫ／ＮＡＣＫチャネルは、偶数循環シフト値６１０、６１２、６１４、６１６、６１８、及び６２０を有するＺＣシーケンスの各々に割り当てられ、１本のＡＣＫ／ＮＡＣＫチャネルは、奇数循環シフト値６１１、６１３、６１５、６１７、６１９、及び６２１を有するＺＣシーケンスの各々に割り当てられる。
【００６４】
図６に示すＡＣＫ／ＮＡＣＫチャネルへのウォルシュコードの割当ての重要な特徴は、もっとも優秀な相互干渉特性を有するコードＡが２本のＡＣＫ／ＮＡＣＫチャネルが割り当てられた偶数循環シフト値６１０、６１２、６１４、６１６、６１８、及び６２０を有するＺＣシーケンスを用いて送信されたＡＣＫ／ＮＡＣＫチャネルのみに割り当てられることである。例えば、循環シフト値０に割り当てられたＡＣＫ／ＮＡＣＫチャネルの場合に、コードＡ６０１は、第１のスロット６０４でＡＣＫ／ＮＡＣＫ＃０に割り当てられ、コードＢ６０８は、第２のスロット６０５でＡＣＫ／ＮＡＣＫ＃１２に割り当てられる。同様に、コードＢは、偶数循環シフト値６１０、６１２、６１４、６１６、６１８、及び６２０を有するＺＣシーケンスを用いてＡＣＫ／ＮＡＣＫチャネルに割り当てられる。上記のように優秀な相互干渉特性を有するウォルシュコードを、２本のＡＣＫ／ＮＡＣＫチャネルが割り当てられるＺＣシーケンスを用いて、ＡＣＫ／ＮＡＣＫチャネルに割り当てる理由は、同一の循環シフト値を用いたＡＣＫ／ＮＡＣＫチャネル間の干渉が、相互に異なる循環シフト値を用いたＡＣＫ／ＮＡＣＫチャネル間の干渉よりさらに大きいためである。したがって、第１のスロットと第２のスロットとの間のコードＡ及びコードＢに直交カバーホッピングが発生する場合に、コードＡ及びコードＢは、同一の循環シフト値を用いて相互に異なるＡＣＫ／ＮＡＣＫチャネル間で交換される。例えば、コードＡ及びコードＢは、直交カバーホッピングにより第１のスロット及び第２のスロットでＡＣＫ／ＮＡＣＫ＃０及びＡＣＫ／ＮＡＣＫ＃１２に交互に使用される。このようにスロット間の直交カバーホッピングは、隣接セル間の干渉をランダム化し、ＵＥの高速移動によるＡＣＫ／ＮＡＣＫチャネル間の直交損失をランダム化する。他方、もっとも悪い相互干渉特性を有するコードＣは、１つのＡＣＫ／ＮＡＣＫチャネルだけ割り当てられる循環シフト値を有するＡＣＫ／ＮＡＣＫチャネルに割り当てられる。このようなＡＣＫ／ＮＡＣＫチャネルの場合に、直交カバーホッピングは、スロット間で発生しない。コードＣがコードＡ及びコードＢに比べて相互干渉レベルが大きいために、１つのＡＣＫ／ＮＡＣＫチャネルだけ割り当てられる循環シフト値を有するＡＣＫ／ＮＡＣＫチャネルに割り当てられることにより、相互干渉問題を防止する。
【００６５】
上述した直交コードリソース割当方法を＜表１＞のサブセット０がＡＣＫ／ＮＡＣＫチャネルの送信のために使用される場合に適用して詳細に説明する。図６を参照すると、直交コードホッピングは、第１のスロット及び第２のスロットでサブセット０内のコードＡであるＷ１をＡＣＫ／ＮＡＣＫ＃０及びＡＣＫ／ＮＡＣＫ＃１２に交互に割り当てることにより循環シフト値０を有するＡＣＫ／ＮＡＣＫチャネルに対して発生する。サブセット０内のコードＢであるＷ２は、第１のスロット及び第２のスロットでＡＣＫ／ＮＡＣＫ＃１２及びＡＣＫ／ＮＡＣＫ＃０に交互に割り当てられる。サブセット０内のコードＣであるＷ０は、循環シフト値０に隣接した循環シフト値１を有するＡＣＫ／ＮＡＣＫ＃６により固定的に使用される。他のサブセットの直交カバーウォルシュコードは、＜表１＞及び図６に従ってＡＣＫ／ＮＡＣＫチャネルに割り当てられる。
【００６６】
一方、上記では、直交カバーホッピングがスロット間で発生する場合について説明した。直交カバーホッピングなしに、第１のスロット６０４及び第２のスロット６０５に対して示した直交カバー割当方法の中の１つをスロット６０４及び６０５のすべてに適用する。図６に示す構成では、１つのＲＢ内の１２個の可能な循環シフト値がＡＣＫ／ＮＡＣＫチャネル送信のために使用されると仮定したが、一部の循環シフト値は、ＡＣＫ／ＮＡＣＫチャネルではないＣＱＩチャネル又は他の制御チャネルに割り当てられることもあり、本発明に限定されない。
【００６７】
図７は、本発明の第２の実施形態によるＡＣＫ／ＮＡＣＫチャネルにリソースを割り当てる方法を示す。図６に示した本発明の第１の実施形態と同様に、このようなリソース割当方法は、１つのサブセットに属している３つのウォルシュコードがＡＣＫ／ＮＡＣＫチャネル送信のための直交カバーとして使用される場合のウォルシュコードリソースを割り当てる。
【００６８】
図６に示した第１の実施形態と同様に、コードＡは、２つのＡＣＫ／ＮＡＣＫチャネルが割り当てられた循環シフト値を用いてＡＣＫ／ＮＡＣＫチャネルに使用され、直交コードホッピングは、スロット単位で２本のチャネル間で発生する。本発明の第１の実施形態に比べて、コードＣは、第１のスロットで奇数循環シフト値を有するＡＣＫ／ＮＡＣＫチャネルに使用され、第２のスロットで第１のスロット内のコードＡが使用されたＡＣＫ／ＮＡＣＫチャネルに割り当てられる。
【００６９】
例えば、詳細に説明すると、図７において、ＡＣＫ／ＮＡＣＫ＃０は、参照符号７０６で示されるように第１のスロット内のコードＡを使用するとともに、参照符号７０８で示されるように第２のスロット内のコードＣを使用する。ＡＣＫ／ＮＡＣＫチャネル＃０と同一の循環シフト値を使用するＡＣＫ／ＮＡＣＫ＃１２は、参照符号７０７で示されるように第１のスロット内のコードＢを使用するとともに、参照符号７０９で示されるように第２のスロット内のコードＡを使用する。ＡＣＫ／ＮＡＣＫ＃０及びＡＣＫ／ＮＡＣＫ＃１２と循環シフトオフセット１だけ離れて単独で送信されるＡＣＫ／ＮＡＣＫ＃６は、参照符号７１０で示されるように第１のスロット内のコードＣを使用するとともに、参照符号７１１で示されるように第２のスロット内のコードＢを使用する。
【００７０】
本発明の第１の実施形態とは異なり、本発明の第２の実施形態は、スロット単位でコードＣを用いてＡＣＫ／ＮＡＣＫチャネルの直交カバーホッピングを実行することにより、セル間の干渉をさらにランダム化することができる。しかしながら、コードＣが２本のＡＣＫ／ＮＡＣＫチャネルに割り当てられる循環シフト値を用いてＡＣＫ／ＮＡＣＫチャネルにホッピングしても、コードＡは、やはり２本のＡＣＫ／ＮＡＣＫチャネルが送信される循環シフト値を用いてＡＣＫ／ＮＡＣＫチャネル間だけでホッピングする。図５からわかるように、コードＢ及びコードＣが同一の循環シフト値を用いてＡＣＫ／ＮＡＣＫチャネルのために使用される場合に、高速移動環境で相互干渉がかなり大きくなり、したがって、性能が大幅に低下する。しかしながら、図５において、コードＡとコードＣ間の相互干渉は、９０％のＣＤＦでも０．２以下と非常に小さい。本発明の第１の実施形態及び第２の実施形態は、２つのスロットで１つのサブセットを使用する。
【００７１】
本発明の第３の実施形態に従って相互に異なるサブセットが２つのスロットで使用される場合に直交コードリソースをＡＣＫ／ＮＡＣＫチャネルに割り当てる方法について説明する。
【００７２】
本発明の第３の実施形態は、相互に異なるサブセットが第１のスロット及び第２のスロットで使用される場合に、直交コードリソースをＡＣＫ／ＮＡＣＫチャネルに割り当てる方法を提案する。このように、第１のスロット及び第２のスロットで相互に異なるサブセットが使用されると、すなわち、サブセットホッピングが発生すると、セル間の干渉のランダム化の効果をさらに向上させることができる。
【００７３】
図８を参照すると、第１のスロットでは、サブセットｉのウォルシュコードが使用され、他方、第２のスロットでは、サブセットｋのウォルシュコードが使用される。スロット間のサブセットホッピングを除いては、本発明の第３の実施形態は、本発明の第１の実施形態と同一の方式で直交カバーホッピングを実行する。
【００７４】
すなわち、例えば、ＡＣＫ／ＮＡＣＫ＃０は、第１のスロットではサブセットｉのコードＡを使用し、第２のスロットではサブセットｋのコードＢを使用する。同様に、ＡＣＫ／ＮＡＣＫ＃１２は、第１のスロットではサブセットｉのコードＢを使用し、第２のスロットではサブセットｋのコードＡを使用する。ＡＣＫ／ＮＡＣＫチャネル＃６は、２つのスロットでコードＣを使用するが、コードＣは、第１のスロット及び第２のスロットでサブセットｉ及びサブセットｋでそれぞれ定義される。したがって、サブセット０のウォルシュコードが第１のスロットに適用され、サブセット１のウォルシュコードが第２のスロットに適用される場合に、＜表１＞のコードＣ列を参照すると、ＡＣＫ／ＮＡＣＫ＃０は、第１のスロットではＷ０が直交カバーとして適用され、第２のスロットではＷ１が直交カバーとして適用される。
【００７５】
一方、図９に示すＡＣＫ／ＮＡＣＫチャネルに直交カバーリソースを割り当てる方法を提供する第４の実施形態は、本発明の第３の実施形態による図７に示した直交カバーリソース割当方式を拡張したものである。図９の直交カバーリソース割当ては、第１のスロットではサブセットｉのウォルシュコードが使用され、第２のスロットではサブセットｋのウォルシュコードが使用されるようにサブセットホッピングがスロット間で発生するという点で、図７の直交カバーリソース割当てとは異なる。したがって、サブセットｉのコードＡは、第１のスロットでＡＣＫ／ＮＡＣＫ＃０に適用し、サブセットｋのコードＣは、第２のスロットでＡＣＫ／ＮＡＣＫ＃０に適用する。ＡＣＫ／ＮＡＣＫ＃０と同一の循環シフト値を有するＡＣＫ／ＮＡＣＫ＃１２は、第１のスロットではサブセットｉのコードＢを使用し、第２のスロットではサブセットｋのコードＡを使用する。ＡＣＫ／ＮＡＣＫチャネルと循環シフトオフセット１だけ離れて単独で送信されるＡＣＫ／ＮＡＣＫ＃６は、第１のスロットではサブセットｉでコードＣを使用し、第２のスロットではサブセットｋのコードＢを使用する。
【００７６】
本発明の第４の実施形態は、第３の実施形態と同様に相互に異なるサブセットが第１のスロット及び第２のスロットで使用されるが、第３の実施形態とは異なり、サブセットホッピングが直交コードホッピングなしにスロット間で発生する。
【００７７】
図１０を参照すると、ＡＣＫ／ＮＡＣＫ＃０は、第１のスロット及び第２のスロットでコードＡを使用し、ＡＣＫ／ＮＡＣＫ＃１２及びＡＣＫ／ＮＡＣＫ＃６は、第１のスロット及び第２のスロットでそれぞれコードＢ及びコードＣを使用する。例えば、サブセット０が第１のスロットに適用され、サブセット１が第２のスロットに適用される場合に、＜表１＞のコードＡ列を参照すると、ＡＣＫ／ＮＡＣＫ＃０は、第１のスロットでは、Ｗ１が直交カバーとして使用され、第２のスロットでは、Ｗ０が直交カバーとして使用される。上記のような直交カバーリソース割当方法は、セル間の干渉のランダム化を目指すが、ＵＥの高速移動によるＡＣＫ／ＮＡＣＫチャネル間の干渉のランダム化は目指さない。
【００７８】
基地局が各ＵＥの移動速度を推定することができ、高速のＵＥにはコードＡを使用するＡＣＫ／ＮＡＣＫチャネルを割り当てることができる場合に、コードＡが相互に異なるスロットで相互に異なるＡＣＫ／ＮＡＣＫチャネルに割り当てられる場合に比べて干渉の影響を減少させることができる。すなわち、基地局がＵＥの移動速度に従ってＡＣＫ／ＮＡＣＫチャネルをＵＥに割り当てることができない場合には、本発明の第１、第２、及び第３の実施形態に従って直交カバーホッピングを使用するＡＣＫ／ＮＡＣＫ直交カバーリソース割当方法がさらに効率的である。しかしながら、基地局がＵＥの移動速度に従ってコードＡを高速のＵＥに割り当てることができる場合には、高速のＵＥは、２つのスロットでコードＡを継続して使用するようにすることにより、他のＡＣＫ／ＮＡＣＫチャネルに及ぼす干渉の影響を減少させることができる。また、相互に異なるサブセットが相互に異なるスロットで使用されるために、セル間の干渉のランダム化は、本発明の前の実施形態と同様に第４の実施形態で達成されることができる。
【００７９】
＜表１＞に記載されているサブセットについて、相互に異なるセルでＡＣＫ／ＮＡＣＫ送信のために相互に異なるサブセットを使用するようにすることにより、セル間の干渉をランダム化することができる。例えば、４つの隣接セルが＜表１＞のサブセット０、１、２、及び３を使用するか又はセルごとにランダムにサブセットを選択し、対応するセル内のＵＥが図６乃至図９に示すような直交コード割当方式に従って各セルで選択したサブセットを用いて送信する場合に、セル間の干渉ランダム化を達成することができる。図８及び図１０に示すリソース割当方式において、セル間の干渉ランダム化は、サブセットホッピングパターンをランダムにセルに適用することにより実現されることもできる。
【００８０】
例えば、図１９は、データチャネル又はＣＱＩチャネルのような制御チャネルの送信のために設計され、直交カバーホッピングパターンの生成に使用されるゴールドスクランブリングシーケンス生成器を示す。
【００８１】
図１９を参照すると、ゴールドシーケンス１９０５は、２つのｍシーケンス生成器１９０１及び１９０２から出力された２進シーケンス１９０６及び１９０７をＸＯＲすることにより生成される。ゴールドシーケンス生成器は、シーケンス生成制御器１９００がセル識別子（ＩＤ）に従って初期シーケンスを設定するために、各セルにランダムなシーケンスを適用する。セル固有の直交コードサブセットホッピングパターンは、４アレイ数字変換器１９０３で２進シーケンス１９０６及び１９０７の２つのビットを０から３までの値に変換し、スロットごとに値に従って上述した＜表１＞に記載された４つのサブセットの中の１つを選択することにより得られる。ｍシーケンス生成器１９０１及び１９０２は、データ及び制御チャネルのスクランブリングに使用されるシーケンス生成器を共通で使用するか、または、直交コードホッピングパターンの生成のためにスクランブルコード生成器とは個別の装置を使用することができる。
【００８２】
本発明の第５の実施形態において、第１のスロットで送信されたＡＣＫ／ＮＡＣＫチャネルに適用されたＺＣシーケンスの循環シフト値が第２のスロットで他の循環シフト値にランダムに割り当てられる場合に関する。
【００８３】
図１１を参照すると、第１のスロットではサブセットｉのコードＡを使用するＡＣＫ／ＮＡＣＫ＃０、１、２、３、４、及び５は、循環シフト値０、２、４、６、８、及び１０にマッピングされ、第２のスロットではサブセットｋのコードＢを使用するＡＣＫ／ＮＡＣＫ＃１、３、５、０、２、及び４は、循環シフト値０、２、４、６、８、及び１０にマッピングされる。第１のスロットでサブセットｉのコードＢ又はコードＣを使用するＡＣＫ／ＮＡＣＫチャネルも同様に、第２のスロットで使用する循環シフト値は、第１のスロットとは異なって割り当てられ、循環シフト値に割り当てられたＡＣＫ／ＮＡＣＫチャネル間の順序も第１のスロットとは異なる。すなわち、第２のスロットでコードＣを使用するＡＣＫ／ＮＡＣＫチャネルは、ＡＣＫ／ＮＡＣＫ＃１０、７、９、１１、６、及び８の順序に循環シフト値０乃至１１に割り当てられる。コードＡを使用するＡＣＫ／ＮＡＣＫチャネルは、ＡＣＫ／ＮＡＣＫチャネル＃１５、１７、１２、１４、１６、及び１３の順序に循環シフト値０乃至１１に割り当てられる。図８に示したＡＣＫ／ＮＡＣＫ送信方式は、ＡＣＫ／ＮＡＣＫチャネルにマッピングされた直交カバーコードがスロット間でホッピングするという点で図１１に示すものと同一であるが、同一の直交カバーを使用するＡＣＫ／ＮＡＣＫチャネルの間に循環シフト値が第１のスロットとは異なるランダムなパターンで割り当てられる。
【００８４】
本発明の第１乃至第４の実施形態と同様に、＜表１＞に記載されたサブセットのコードＡは、常に、同一の循環シフト値に割り当てられた２本のＡＣＫ／ＮＡＣＫチャネルの中の１つに割り当てられる。これは、コードＡが高速ＵＥによるＡＣＫ／ＮＡＣＫチャネル間の相互干渉を最小にすることができるためである。
【００８５】
図１２に示す本発明の第６の実施形態は、図９に示した本発明の第３の実施形態と非常に類似している。すなわち、第２のスロットでは、ＡＣＫ／ＮＡＣＫ＃０〜５は、サブセットｋのコードＣを使用し、ＡＣＫ／ＮＡＣＫ＃６〜１１は、サブセットｋのコードＢを使用し、ＡＣＫ／ＮＡＣＫ＃１２〜１７は、サブセットｋのコードＡを使用する。しかしながら、ＡＣＫ／ＮＡＣＫ＃０〜５は、第１のスロットでは偶数循環シフト値にマッピングされ、第２のスロットでは奇数循環シフト値にマッピングされ、ＡＣＫ／ＮＡＣＫ＃６〜１１は、第１のスロットでは奇数循環シフト値にマッピングされ、第２のスロットでは偶数循環シフト値にマッピングされる。すなわち、直交カバーホッピングに加えて、循環シフト値は、スロット間で変化する。言い換えれば、全コードリソースから選択された直交カバーコードと循環シフト値との組合せは、第１のスロット及び第２のスロットで同一であるが、対応するコードリソースを使用するＡＣＫ／ＮＡＣＫチャネルは、２つのスロット間で変化する。例えば、コードＣ及び循環シフト値１に対応するコードリソースには、第１のスロットではＡＣＫ／ＮＡＣＫ＃６が割り当てられるが、第２のスロットではＡＣＫ／ＮＡＣＫ＃０が割り当てられる。
【００８６】
一方、図１３に示すＡＣＫ／ＮＡＣＫ送信方式は、図１１に示したＡＣＫ／ＮＡＣＫ送信方式に加えて上述した循環シフトホッピングを付加的に使用する。図１３において、ランダムな循環シフトホッピング及び直交コードホッピングに加えて、ＡＣＫ／ＮＡＣＫチャネル＃６〜１１は、第１のスロットでは奇数循環シフト値に割り当てられ、第２のスロットでは偶数循環シフト値に割り当てられ、ＡＣＫ／ＮＡＣＫチャネル＃１２〜１５は、第１のスロットでは偶数循環シフト値に割り当てられ、第２のスロットでは奇数循環シフト値に割り当てられる。
【００８７】
上述した本発明の実施形態において、第１のスロットに適用されたサブセットｉと第２のスロットで適用されたサブセットｋとが同一であってもよく、本発明は、これに限定されない。本発明の第７の実施形態に従って第１のスロットで同一の直交コードを使用して送信されたＡＣＫ／ＮＡＣＫチャネルは、第２のスロットではランダムな直交コードホッピング及びランダムな循環シフトホッピングにより送信されることができる。
【００８８】
本発明の第７の実施形態において、図１４を参照すると、第１のスロットではＡＣＫ／ＮＡＣＫ＃０〜５が同一のコードＡを使用し、第２のスロットではコードＡ、コードＢ、及びコードＣにランダムにホッピングする。これは、本発明の前の実施形態において、ＡＣＫ／ＮＡＣＫ＃０〜５が第２のスロットでも同一の直交コードにホッピングするものとは差がある。同様に、ＡＣＫ／ＮＡＣＫ＃６〜１１及び＃１２〜１７も第２のスロットではランダムに直交コードホッピングが発生する。しかしながら、このように直交コード及び循環シフト値のすべてにランダムにホッピングする場合にも、サブセットのコードＡは、２本のＡＣＫ／ＮＡＣＫチャネルが割り当てられた循環シフト値を有するＡＣＫ／ＮＡＣＫチャネルに常に割り当てられる。上述したように、コードＡは、任意の他の直交コードよりさらに小さい干渉を発生させる。
【００８９】
図１５は、本発明の実施形態によるＵＥの送信装置の構成を示すブロック図である。
【００９０】
図１５を参照すると、ＡＣＫ／ＮＡＣＫシンボル生成器１５００は、送信されるＡＣＫ／ＮＡＣＫシンボルを生成する。直交カバーシンボル生成器１５１１は、ＡＣＫ／ＮＡＣＫ情報を運搬するＡＣＫ／ＮＡＣＫチャネルにマッピングされた直交カバーシーケンスシンボルを生成する。この際に、直交カバーシンボル生成器１５１１は、ホッピング制御器１５１０の制御の下で第１のスロット及び第２のスロットで異なる直交カバーを生成することができる。乗算器１５１２は、ＡＣＫ／ＮＡＣＫシンボルに直交カバーシンボルを乗算する。マルチプレクサ（ＭＵＸ）１５０３は、図４に示したようなＳＣ−ＦＤＭＡシンボルタイミングで乗算されたＡＣＫ／ＮＡＣＫシンボル又はＲＳシンボルをＺＣシーケンス乗算器１５０６に出力する。ＺＣシーケンス乗算器１５０６は、受信されたＡＣＫ／ＮＡＣＫシンボル又はＲＳシンボルにＺＣシーケンスを乗算する。この際に、ＡＣＫ／ＮＡＣＫシンボルと同様に、ＲＳシンボルもＡＣＫ／ＮＡＣＫチャネルのインデックスに対応するＲＳ直交カバーと乗じられる。高速フーリエ変換（ＦＦＴ）プロセッサー１５０７は、ＦＦＴによりＺＣシーケンス乗算器１５０６から受信されたシンボルを処理する。サブキャリアマッパー１５０８は、ＦＦＴ信号を制御情報に割り当てられた周波数帯域に対応するサブキャリアにマッピングする。ホッピング制御器１５１０の制御の下で、サブキャリアマッパー１５０８は、図１に示したように第２のスロットで送信するためにＦＦＴ信号を反対側周波数帯域に対応するサブキャリアにマッピングする。逆高速フーリエ変換（ＩＦＦＴ）プロセッサー１５０９は、ＩＦＦＴによりマッピングされたサブキャリア信号を処理する。
【００９１】
図１６は、本発明の実施形態によるＵＥの送信方法を示すフローチャートである。
【００９２】
図１６を参照すると、ＵＥは、ステップ１６００で、ＡＣＫ／ＮＡＣＫチャネル構成情報を、システム情報を送信するための共通制御チャネル又は上位シグナリング情報を介して取得する。ＵＥが１つのセルと呼設定を確立するか、又はＡＣＫ／ＮＡＣＫを送信する必要がある場合には、ＡＣＫ／ＮＡＣＫチャネル構成情報を取得する。
【００９３】
ステップ１６０１で、ＵＥは、現在のサブフレームでＡＣＫ／ＮＡＣＫの送信が必要であるか否かを判定する。ＡＣＫ／ＮＡＣＫの送信を必要とする代表的な場合がダウンリンクで基地局からデータチャネルを受信する場合である。ステップ１６０１で、ＡＣＫ／ＮＡＣＫ情報の送信が必要である場合には、ＵＥは、ステップ１６０２で、ＡＣＫ／ＮＡＣＫシンボルを伝達するためのＡＣＫ／ＮＡＣＫチャネルのインデックスを取得する。ＡＣＫ／ＮＡＣＫチャネル情報は、基地局から明示的に受信されてもよく、又はダウンリンク制御チャネルやデータチャネルから暗黙的に取得されてもよい。ＵＥは、ステップ１６０３で、ＡＣＫ／ＮＡＣＫチャネル構成情報及びＡＣＫ／ＮＡＣＫチャネルインデックス情報に従って、直交カバーシーケンスインデックス及びＺＣシーケンス循環シフト値を選択する。上述したように、ステップ１６０３は、本発明の７つの実施形態の中の１つに従って実行されることができる。ステップ１６０４で、ＵＥは、この直交カバーシーケンス及び循環シフト値により循環的にシフトされたＺＣシーケンスを用いてＡＣＫ／ＮＡＣＫシンボルを送信する。
【００９４】
図１７は、本発明の実施形態による基地局の受信装置の構成を示すブロック図である。
【００９５】
ＦＦＴプロセッサー１７０９は、ＦＦＴにより受信信号を処理する。サブキャリアデマッパー１７０８は、ターゲットＵＥのＡＣＫ／ＮＡＣＫチャネル送信帯域に対応するＦＦＴサブキャリア信号を選択する。ＺＣシーケンス相関器１７０６は、ＦＦＴサブキャリア信号を現在のシンボルに適用されたＺＣシーケンスと相関し、その信号をＩＦＦＴプロセッサー１７０７に提供する。ＩＦＦＴ１７０７の出力は、ＤＥＭＵＸ１７０３に提供される。現在のＳＣ−ＦＤＭＡシンボルインデックスがＲＳシンボルを示す場合には、ＤＥＭＵＸ１７０３は、ＲＳシンボルをＲＳシンボルデカバーリングブロック１７０１に出力する。ＲＳシンボルデカバーリングブロック１７０１は、ＲＳシンボルから直交カバーをデカバーリングすることによりチャネル推定値を得る。チャネル補償器１７１１は、チャネル推定値を用いて得られたＡＣＫ／ＮＡＣＫシンボルのチャネル補償を行う。ＡＣＫ／ＮＡＣＫデカバーリング器１７０４は、ＡＣＫ／ＮＡＣＫチャネルから直交カバーをデカバーリングする。ＡＣＫ／ＮＡＣＫ決定器１７００は、受信ＡＣＫ／ＮＡＣＫシンボルの値を決定する。
【００９６】
図１８は、本発明の実施形態による基地局の受信方法を示すフローチャートである。
【００９７】
図１８を参照すると、ステップ１８００で、基地局受信器は、現在のサブフレームがターゲットＵＥからＡＣＫ／ＮＡＣＫシンボルを受信することになっているサブフレームであるか否かを判定する。現在のサブフレームが受信することになっているサブフレームである場合には、基地局受信器は、ステップ１８０１で、ＵＥのＡＣＫ／ＮＡＣＫチャネルに割り当てられたＺＣシーケンス循環シフト値及び直交カバーインデックスをチェックする。基地局は、このリソース情報をＡＣＫ／ＮＡＣＫチャネルに関連したダウンリンクデータチャネルのインデックス又はデータチャネルに関するスケジューリング情報を送信する制御チャネルのインデックスにマッピングすることにより、このリソース情報をＵＥに明示的に又は黙示的に送信しうる。ステップ１８０２で、基地局は、このリソース情報に基づいて受信されたＡＣＫ／ＮＡＣＫチャネルに対してＺＣシーケンスで相関させる。基地局は、ステップ１８０３で、この相関の結果に関連してスロット別にＡＣＫ／ＮＡＣＫシンボルの直交カバーをデカバーリングする。ステップ１８０４で、基地局は、ＵＥがデカバーリングされたＡＣＫ／ＮＡＣＫシンボル値に基づいてＡＣＫ／ＮＡＣＫチャネルを介して送信したＡＣＫ／ＮＡＣＫシンボルを決定する。
【００９８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００９９】
ＵＥ      端末
Ｎｏｄｅ Ｂ      基地局
ＡＣＫ      肯定応答
ＮＡＣＫ      否定応答
Ｗ      ウォルシュコード
ＰＵＣＣＨ    物理アップリンク制御チャネル(Physical Uplink Control Channel)
ＲＢ      リソースブロック
ＲＳ      基準信号
【図１】
2010536230.tif 000008
【図２】
2010536230.tif 000009
【図３】
2010536230.tif 000010
【図４】
2010536230.tif 000011
【図５】
2010536230.tif 000012
【図６】
2010536230.tif 000013
【図７】
2010536230.tif 000014
【図８】
2010536230.tif 000015
【図９】
2010536230.tif 000016
【図１０】
2010536230.tif 000017
【図１１】
2010536230.tif 000018
【図１２】
2010536230.tif 000019
【図１３】
2010536230.tif 000020
【図１４】
2010536230.tif 000021
【図１５】
2010536230.tif 000022
【図１６】
2010536230.tif 000023
【図１７】
2010536230.tif 000024
【図１８】
2010536230.tif 000025
【図１９】
2010536230.tif 000026
【国際調査報告】
2010536230.tif 000027
2010536230.tif 000028